(57)【要約】      （修正有）【課題】複数の空調機が集中管理機器に接続されている空調システムにおいて、簡便に、集中管理機器に空調機のアドレスと空調機の設置場所とを対応付けること。【解決手段】空調機対応付け支援システム１は、複数の空調機２０ａ，・・・、無線情報受信手段７ａ，・・・、第１設置位置情報導出手段、および第１情報対応付け保存手段を備える。複数の空調機２０ａ，・・・は、自己識別情報が記憶される第１記憶手段、および情報無線発信手段を有する。無線情報受信手段７ａ，・・・は、情報無線発信手段から無線発信される自己識別情報を受信する。第１設置位置情報導出手段は、無線発信信号を利用して空調機の設置位置情報を導出する。第１情報対応付け保存手段は、無線情報受信手段７ａ，・・・において受信された自己識別情報を、設置位置情報導出手段において導出された空調機の設置位置情報と対応付けして第２記憶手段に保存する。【選択図】      図１
2006349307.tif 000002
【特許請求の範囲】
【請求項１】
自己識別情報を記憶する第１記憶手段（６３）と、前記第１記憶手段に記憶される前記自己識別情報を無線発信信号として発信する情報無線発信手段（６２）とを有する複数の空調機（２０ａ，２０ｂ，２０ｃ，２０ｄ，・・・）と、
前記情報無線発信手段から無線発信される前記自己識別情報を受信する無線情報受信手段（７ａ，７ｂ，７ｃ，・・・）と、
前記無線発信信号を利用して前記空調機の設置位置情報を導出する第１設置位置情報導出手段（８１Ｂ）と、
前記無線情報受信手段において受信された前記自己識別情報を、前記設置位置情報導出手段において導出された前記空調機の設置位置情報と対応付けして第２記憶手段（８４ｅ）に保存する第１情報対応付け保存手段（８１Ａ）と、
を備える、空調機対応付け支援システム（１）。
【請求項２】
前記自己識別情報と前記空調機の設置位置情報とを対応付けて入力するための情報入力手段（８９）と、
前記第２記憶手段に保存される前記自己識別情報と前記空調機の設置位置情報との対応付けが前記情報入力手段において入力された前記自己識別情報と前記空調機の設置位置情報との対応付けと一致するか否かを判定する対応付け一致判定手段（８１Ｂ）と、
前記対応付け一致判定手段において前記対応付けが一致しない場合に警告情報を出力する第１警告情報出力手段（８１Ａ）と、
をさらに備える、
請求項１に記載の空調機対応付け支援システム。
【請求項３】
前記自己識別情報を記憶する第３記憶手段（８４ｇ）と、
前記無線情報受信手段において受信された前記自己識別情報が前記第３記憶手段に記憶される前記自己識別情報と一致しない場合に警告情報を出力する第２警告情報出力手段（８１Ａ）と、
をさらに備える、
請求項１または２に記載の空調機対応付け支援システム。
【請求項４】
前記自己識別情報を記憶する第３記憶手段（８４ｇ）と、
前記無線情報受信手段において受信された前記自己識別情報が前記第３記憶手段に記憶される前記自己識別情報と一致しない場合に前記無線情報受信手段において受信された前記自己識別情報を所定の情報処理装置（４Ｂ）に送信する情報送信手段（４０）と、
をさらに備える、
請求項１から３のいずれかに記載の空調機対応付け支援システム。
【請求項５】
発音等指令信号を受信すると音または電磁波を発する発音等部（１０６ａ，１０６ｂ，１０６ｃ，１０６ｄ，・・・）を有する複数の空調機（１２０ａ，１２０ｂ，１２０ｃ，１２０ｄ，・・・）と、
前記複数の空調機それぞれと一対となるように設置され、前記発音等部からの前記音または前記電磁波を受音等する受音等装置（１０７ａ，１０７ｂ，１０７ｃ，１０７ｄ，・・・）と、
前記受音等装置が前記発音等部からの前記音または前記電磁波を受音等すると、前記受音等装置に固有の信号である固有信号を発信する信号発信手段（１０７ａ，１０７ｂ，１０７ｃ，１０７ｄ，・・・）と、
前記固有信号と、前記受音等装置の設置位置の情報である受音等装置設置位置情報とを関連付けるテーブルである第１情報関連テーブル（１８４ｆ）を記憶する第１情報関連テーブル記憶手段（１８４）と、
前記固有信号を前記第１情報関連テーブルに照合して前記受音等装置設置位置情報を導出する受音等装置設置位置情報導出手段（１８１Ｂ）と、
前記受音等装置設置位置情報と、前記発音等指令信号を受信した前記発音等部が設けられている前記空調機の自己識別情報とを対応付けて記憶手段に保存する対応付け保存手段（１８１Ａ）と、
を備える、空調機対応付け支援システム（１０１）。
【請求項６】
前記発音等部に対して所定の順序で前記発音等指令信号を送信する発音等部指令送信手段（１８１Ａ）をさらに備える、
請求項５に記載の空調機対応付け支援システム。
【請求項７】
前記発音等部は、前記空調機の前記自己識別情報に対応する固有の発音等パターンを有し、
前記受音等装置が前記発音等部からの前記音または前記電磁波を受音等すると、前記空調機の前記自己識別情報を導出する自己認識情報導出手段と、
をさらに備え、
前記対応付け保存手段は、前記受音等装置設置位置情報と、前記自己識別情報導出手段において導出された前記自己識別情報とを対応付けて前記記憶手段に保存する、
請求項５に記載の空調機対応付け支援システム。
【請求項８】
発音等指令信号を受信すると音または電磁波を発する発音等部を有する複数の空調機と、
前記発音等部からの前記音または前記電磁波を受音等する受音等装置と、
前記受音等装置が前記発音等部からの前記音または前記電磁波を受音等すると、前記発音等部の位置情報である発音等部位置情報を導出する発音等部位置情報導出手段と、
前記発音等部位置情報と、前記発音等指令信号を受信した前記発音等部が設けられている前記空調機の自己識別情報とを対応付けて記憶手段に保存する対応付け保存手段と、
を備える、空調機対応付け支援システム。
【請求項９】
前記受音等装置は、１の前記発音等部に対して複数台設置される、
請求項８に記載の空調機対応付け支援システム。
【請求項１０】
前記受音等装置は、撮像取得装置である、
請求項８に記載の空調機対応付け支援システム。
【請求項１１】
前記発音等部に対して所定の順序で前記発音等指令信号を送信する発音等指令送信手段をさらに備える、
請求項８から１０のいずれかに記載の空調機対応付け支援システム。
【請求項１２】
前記発音等部は、前記空調機の前記自己識別情報に対応する固有の発音等パターンを有し、
前記受音等装置が前記発音等部からの前記音または前記電磁波を受音等すると、前記空調機の前記自己識別情報を導出する自己認識情報導出手段と、
をさらに備え、
前記対応付け保存手段は、前記発音等部位置情報と、前記自己識別情報導出手段において導出された前記自己識別情報とを対応付けて前記記憶手段に保存する、
請求項８から１０のいずれかに記載の空調機対応付け支援システム。
【発明の詳細な説明】
【技術分野】
【０００１】
本発明は、自己識別情報を記憶する第１記憶部を有する複数の空調機と通信接続され、複数の空調機を集中制御する集中管理機器において、空調機の設置位置情報と自己識別情報との対応付けの確立を支援するための空調機対応付け支援システムに関する。
【背景技術】
【０００２】
下記に示す特許文献１には、「リモコンを有する複数の空調機が集中管理機器に接続されている空調システムにおいて、集中管理機器に空調機のアドレスと空調機の設置場所名とを対応付けて保存するための方法の発明」が開示されている。この空調システムでは、先ず、サービスエンジニア等が、空調機に設けられているアドレス設定スイッチによりその空調機のアドレスを決定する。続いて、サービスエンジニア等が、その空調機に対応するリモコンにその空調機の設置場所名を入力する。すると、その設置場所名の情報が空調機に送信され、空調機がアドレスと設置場所名の情報とからアドレス設定情報を生成する。その後、空調機は、そのアドレス設定情報を集中管理機器に送信する。そして、集中管理機器は、アドレス設定データをアドレスと設置場所名とに分割して所定の保存場所へ保存する。
【０００３】
また、当業者に広く知られている別の方法では、先ず、集中管理機器により各空調機のアドレスを収集する（逆に、集中管理機器から自動的に各空調機にアドレスを付与する場合もある）。次に、サービスエンジニア等が、集中管理機器上で適当な空調機を１台選択してそのアドレスを認識する。そして、サービスエンジニア等が、集中管理機器からそのアドレスに運転開始指令を送信する。その後、サービスエンジニア等は、運転している空調機を発見するために建物を歩き回わる。そして、サービスエンジニア等が運転している空調機を発見すると、その空調機の設置位置をメモして集中管理機器へ戻る。そこで、サービスエンジニア等は、集中管理機器において、メモした設置位置を、そのアドレスに対応付けするように入力する。
【特許文献１】特開２００３−２２７６４４号公報
【発明の開示】
【発明が解決しようとする課題】
【０００４】
ところで、空調機のアドレスについては空調機の施工前に予め重複しないように設定しておくことが可能であるが、設置場所名については施工が間違っている場合があり得るため空調機の施工後に設定する必要がある。つまり、空調機にリモコンを接続しない場合に前者の方法を実施するためには、サービスエンジニア等が天井裏などによじ登り空調機本体に専用リモコンなどを接続して設置場所名を空調機に直接入力しなければならないことになり、非常に不便である。また、後者の方法では、サービスエンジニア等は、天井裏によじ登る必要はないが、１台づつ上記の作業を行わなければならないため、全空調機に対して対応付けが完了するまでに相当の距離を歩き回らなければならない。したがって、後者の方法を採る場合、サービスエンジニア等の作業負担が大きく、対応付け完了までにかなりの時間を費やさなければならない。
【０００５】
本発明の課題は、複数の空調機が集中管理機器に接続されている空調システムにおいて、サービスエンジニア等に負担をかけることなく、簡便に、集中管理機器に空調機のアドレスと空調機の設置場所とを対応付けることができる空調機対応付け支援システムを提供することにある。
【課題を解決するための手段】
【０００６】
第１発明に係る空調機対応付け支援システムは、複数の空調機、無線情報受信手段、第１設置位置情報導出手段、および第１情報対応付け保存手段を備える。複数の空調機は、第１記憶手段、および情報無線発信手段を有する。第１記憶手段には、自己識別情報が記憶される。情報無線発信手段は、第１記憶手段に記憶される自己識別情報を無線発信信号として発信する。無線情報受信手段は、情報無線発信手段から無線発信される自己識別情報を受信する。第１設置位置情報導出手段は、無線発信信号を利用して空調機の設置位置情報を導出する。第１情報対応付け保存手段は、無線情報受信手段において受信された自己識別情報を、設置位置情報導出手段において導出された空調機の設置位置情報と対応付けして第２記憶手段に保存する。
【０００７】
この空調機対応付け支援システムでは、第１記憶手段に、自己識別情報が記憶される。そして、情報無線発信手段が、第１記憶手段に記憶される自己識別情報を無線発信信号として発信する。これに対して、無線情報受信手段が、情報無線発信手段から無線発信される自己識別情報を受信する。すると、第１設置位置情報導出手段が、無線発信信号を利用して空調機の設置位置情報を導出する。そして、第１情報対応付け保存手段が、無線情報受信手段において受信された自己識別情報を、設置位置情報導出手段において導出された空調機の設置位置情報と対応付けして第２記憶手段に保存する。このため、この空調機対応付け支援システムでは、複数の空調機が集中管理機器に接続されている空調システムにおいて、サービスエンジニア等に負担をかけることなく、簡便に、集中管理機器に空調機のアドレスと空調機の設置場所とを対応付けることができる。
【０００８】
第２発明に係る空調機対応付け支援システムは、第１発明に係る空調機対応付け支援システムであって、情報入力手段、対応付け一致判定手段、および第１警告情報出力手段をさらに備える。情報入力手段は、自己識別情報と空調機の設置位置情報とを対応付けて入力するための手段である。対応付け一致判定手段は、第２記憶手段に保存される自己識別情報と空調機の設置位置情報との対応付けが情報入力手段において入力された自己識別情報と空調機の設置位置情報との対応付けと一致するか否かを判定する。第１警告情報出力手段は、対応付け一致判定手段において対応付けが一致しない場合に、警告情報を出力する。なお、ここで、「警告情報を出力する」とは、例えば、警告音を発したり警告情報を表示装置に表示したりすることである。
【０００９】
この空調機対応付け支援システムでは、サービスエンジニア等は、情報入力手段より設計データに基づいて空調機の自己識別情報と設置位置情報とを対応付けて入力することができる。そして、対応付け一致判定手段が、第２記憶手段に保存される自己識別情報と空調機の設置位置情報との対応付けが情報入力手段において入力された自己識別情報と空調機の設置位置情報との対応付けと一致するか否かを判定する。そして、第１警告情報出力手段が、対応付け一致判定手段において対応付けが一致しない場合に、警告情報を出力する。このため、この空調機対応付け支援システムでは、サービスエンジニア等は、本システムにより構築した空調機の自己識別情報と設置位置情報とを対応付けと、設計図面などに基づいて構築した空調機の自己識別情報と設置位置情報とを対応付けとが一致しているか否かを確認することができる。したがって、この空調機対応付け支援システムでは、サービスエンジニア等は、正しい設置位置に正しい空調機が設置されているか否かを容易に確認することができる。
【００１０】
第３発明に係る空調機対応付け支援システムは、第１発明または第２発明に係る空調機対応付け支援システムであって、第３記憶手段および第２警告情報出力手段をさらに備える。第３記憶手段には、自己識別情報が記憶される。第２警告情報出力手段は、無線情報受信手段において受信された自己識別情報が第３記憶手段に記憶される自己識別情報と一致しない場合に、警告情報を出力する。
【００１１】
近年、流通管理のためにＲＦＩＤタグ等が流通製品に付される機会が多くなってきている。空調機についても例外ではなくＲＦＩＤタグが付され流通管理が行われつつある。このように空調機にＲＦＩＤタグが付される場合、通常、工場などにおいてＲＦＩＤタグ等から機種番号や製造番号などの空調機の自己識別情報が読み取られ、さらに、その自己識別情報それぞれについて出荷先情報との対応付けが出荷管理コンピュータなどの上で行われることになる。つまり、工場などにおいて読み取られた空調機の自己識別情報を第３記憶手段に予め記憶させておけば、サービスエンジニア等は、物件に空調機が正しく納入されているか否かについても確認することができる。
【００１２】
第４発明に係る空調機対応付け支援システムは、第１発明から第３発明のいずれかに係る空調機対応付け支援システムであって、第３記憶手段および情報送信手段をさらに備える。第３記憶手段には、自己識別情報が記憶される。情報送信手段は、無線情報受信手段において受信された自己識別情報が第３記憶手段に記憶される自己識別情報と一致しない場合に、無線情報受信手段において受信された自己識別情報を所定の情報処理装置に送信する。
【００１３】
近年、流通管理のためにＲＦＩＤタグ等が流通製品に付される機会が多くなってきている。空調機についても例外ではなくＲＦＩＤタグが付され流通管理が行われつつある。このように空調機にＲＦＩＤタグが付される場合、通常、工場などにおいてＲＦＩＤタグ等から機種番号や製造番号などの空調機の自己識別情報が読み取られ、さらに、その自己識別情報それぞれについて出荷先情報との対応付けが出荷管理コンピュータなどの上で行われることになる。つまり、工場などにおいて読み取られた空調機の自己識別情報を第３記憶手段に予め記憶させておき、無線情報受信手段において受信された自己識別情報が第３記憶手段に記憶される自己識別情報と一致しない場合に、情報送信手段が無線情報受信手段において受信された自己識別情報を出荷管理コンピュータ等に送信するようにしておけば、出荷管理担当者などは、出荷管理ミスを自動的に把握することができるようになる。
【００１４】
第５発明に係る空調機対応付け支援システムは、複数の空調機、受音等装置、信号発信手段、第１情報関連テーブル記憶手段、受音等装置設置位置情報導出手段、および対応付け保存手段を備える。複数の空調機は、発音等部を有する。発音等部は、発音等指令信号を受信すると音または電磁波を発する。なお、ここにいう「電磁波」には、光や電波などが含まれる。受音等装置は、発音等部からの音または電磁波を受音等する。なお、ここにいう「受音等装置」は、受光器（カメラを含む）、受音器、あるいは受信器などである。また、この受音等装置は、複数の空調機それぞれと一対となるように設置される。信号発信手段は、受音等装置が発音等部からの音または電磁波を受音等すると、固有信号を発信する。なお、ここにいう「固有信号」とは、受音等装置に固有の信号である。第１情報関連テーブル記憶手段には、第１情報関連テーブルが記憶される。なお、ここにいう「第１情報関連テーブル」は、固有信号と受音等装置設置位置情報とを関連付けるテーブルである。なお、ここにいう「受音等装置設置位置情報」とは、受音等装置の設置位置の情報である。受音等装置設置位置情報導出手段は、固有信号を第１情報関連テーブルに照合して受音等装置設置位置情報を導出する。対応付け保存手段は、受音等装置設置位置情報と、発音等指令信号を受信した発音等部が設けられている空調機の自己識別情報とを対応付けて記憶手段に保存する。
【００１５】
この空調機対応付け支援システムでは、受音等装置が発音等部からの音または電磁波を受音等すると、信号発信手段が固有信号を発信する。すると、受音等装置設置位置情報導出手段が、固有信号を第１情報関連テーブルに照合して受音等装置設置位置情報を導出する。そして、対応付け保存手段が、受音等装置設置位置情報と、発音等指令信号を受信した発音等部が設けられている空調機の自己識別情報とを対応付けて記憶手段に保存する。このため、この空調機対応付け支援システムでは、受音等装置を空調機の設置位置と一致するように設置しておけば、複数の空調機が集中管理機器に接続されている空調システムにおいて、サービスエンジニア等に負担をかけることなく、簡便に、集中管理機器に空調機のアドレスと空調機の設置場所とを対応付けることができる。
【００１６】
第６発明に係る空調機対応付け支援システムは、第５発明に係る空調機対応付け支援システムであって、発音等部指令送信手段をさらに備える。発音等部指令送信手段は、発音等部に対して所定の順序で発音等指令信号を送信する。
この空調機対応付け支援システムでは、発音等部指令送信手段が、発音等部に対して所定の順序で発音等指令信号を送信する。このため、この空調機対応付け支援システムでは、自動的に全ての空調機について自己識別情報と設置位置情報とを対応付けることができる。
【００１７】
第７発明に係る空調機対応付け支援システムは、第５発明に係る空調機対応付け支援システムであって、発音等部は、空調機の自己識別情報に対応する固有の発音等パターンを有する。そして、この空調機対応付け支援システムは、自己認識情報導出手段をさらに備える。自己認識情報導出手段は、受音等装置が発音等部からの音または電磁波を受音等すると、空調機の自己識別情報を導出する。そして、対応付け保存手段は、受音等装置設置位置情報と、自己識別情報導出手段において導出された自己識別情報とを対応付けて記憶手段に保存する。
【００１８】
この空調機対応付け支援システムでは、自己認識情報導出手段が、受音等装置が発音等部からの音または電磁波を受音等すると、空調機の自己識別情報を導出する。そして、対応付け保存手段が、受音等装置設置位置情報と、自己識別情報導出手段において導出された自己識別情報とを対応付けて記憶手段に保存する。このため、この空調機対応付け支援システムでは、サービスエンジニア等が空調機の自己認識情報を予め登録する手間を省くことができる。
【００１９】
第８発明に係る空調機対応付け支援システムは、複数の空調機、受音等装置、発音等部位置情報導出手段、および対応付け保存手段を備える。複数の空調機は、発音等部を有する。発音等部は、発音等指令信号を受信すると音または電磁波を発する。受音等装置は、発音等部からの音または電磁波を受音等する。発音等部位置情報導出手段は、受音等装置が発音等部からの音または電磁波を受音等すると、発音等部位置情報を導出する。なお、ここにいう「発音等部位置情報」とは、発音等部の位置情報である。対応付け保存手段は、発音等部位置情報と、発音等指令信号を受信した発音等部が設けられている空調機の自己識別情報とを対応付けて記憶手段に保存する。
この空調機対応付け支援システムでは、受音等装置が発音等部からの音または電磁波を受音等すると、発音等部位置情報導出手段が発音等部位置情報を導出する。そして、対応付け保存手段が、発音等部位置情報と、発音等指令信号を受信した発音等部が設けられている空調機の自己識別情報とを対応付けて記憶手段に保存する。このため、この空調機対応付け支援システムでは、複数の空調機が集中管理機器に接続されている空調システムにおいて、サービスエンジニア等に負担をかけることなく、簡便に、集中管理機器に空調機のアドレスと空調機の設置場所とを対応付けることができる。
【００２０】
第９発明に係る空調機対応付け支援システムは、第８発明に係る空調機対応付け支援システムであって、受音等装置は、１の発音等部に対して複数台設置される。このため、この空調機対応付け支援システムでは、三辺測量などの技術を利用して正確に発音等部の位置、つまり空調機の設置位置を特定することができる。
【００２１】
第１０発明に係る空調機対応付け支援システムは、第８発明に係る空調機対応付け支援システムであって、受音等装置は、撮像取得装置である。このため、この空調機対応付け支援システムでは、システムの構成を簡易なものにすることができる。
【００２２】
第１１発明に係る空調機対応付け支援システムは、第８発明から第１０発明のいずれかに係る空調機対応付け支援システムであって、発音等指令送信手段をさらに備える。発音等指令送信手段は、発音等部に対して所定の順序で発音等指令信号を送信する。
この空調機対応付け支援システムでは、発音等指令送信手段が、発音等部に対して所定の順序で発音等指令信号を送信する。このため、この空調機対応付け支援システムでは、自動的に全ての空調機について自己識別情報と設置位置情報とを対応付けることができる。
【００２３】
第１２発明に係る空調機対応付け支援システムは、第８発明から第１０発明のいずれかに係る空調機対応付け支援システムであって、発音等部は、空調機の自己識別情報に対応する固有の発音等パターンを有する。そして、この空調機対応付け支援システムは、自己認識情報導出手段をさらに備える。自己認識情報導出手段は、受音等装置が発音等部からの音または電磁波を受音等すると、空調機の自己識別情報を導出する。そして、対応付け保存手段は、発音等部位置情報と、自己識別情報導出手段において導出された自己識別情報とを対応付けて記憶手段に保存する、
この空調機対応付け支援システムでは、自己認識情報導出手段が、受音等装置が発音等部からの音または電磁波を受音等すると、空調機の自己識別情報を導出する。そして、対応付け保存手段が、受音等装置設置位置情報と、自己識別情報導出手段において導出された自己識別情報とを対応付けて記憶手段に保存する。このため、この空調機対応付け支援システムでは、サービスエンジニア等が空調機の自己認識情報を予め登録する手間を省くことができる。
【発明の効果】
【００２４】
第１発明に係る空調機対応付け支援システムでは、複数の空調機が集中管理機器に接続されている空調システムにおいて、サービスエンジニア等に負担をかけることなく、簡便に、集中管理機器に空調機のアドレスと空調機の設置場所とを対応付けることができる。
第２発明に係る空調機対応付け支援システムでは、サービスエンジニア等は、本システムにより構築した空調機の自己識別情報と設置位置情報とを対応付けと、設計図面などに基づいて構築した空調機の自己識別情報と設置位置情報とを対応付けとが一致しているか否かを確認することができる。したがって、この空調機対応付け支援システムでは、サービスエンジニア等は、正しい設置位置に正しい空調機が設置されているか否かを容易に確認することができる。
【００２５】
第３発明に係る空調機対応付け支援システムでは、工場などにおいて読み取られた空調機の自己識別情報を第３記憶手段に予め記憶させておけば、サービスエンジニア等は、物件に空調機が正しく納入されているか否かについても確認することができる。
第４発明に係る空調機対応付け支援システムでは、工場などにおいて読み取られた空調機の自己識別情報を第３記憶手段に予め記憶させておき、無線情報受信手段において受信された自己識別情報が第３記憶手段に記憶される自己識別情報と一致しない場合に、情報送信手段が無線情報受信手段において受信された自己識別情報を出荷管理コンピュータ等に送信するようにしておけば、出荷管理担当者などは、出荷管理ミスを自動的に把握することができるようになる。
【００２６】
第５発明に係る空調機対応付け支援システムでは、受音等装置を空調機の設置位置と一致するように設置しておけば、複数の空調機が集中管理機器に接続されている空調システムにおいて、サービスエンジニア等に負担をかけることなく、簡便に、集中管理機器に空調機のアドレスと空調機の設置場所とを対応付けることができる。
第６発明に係る空調機対応付け支援システムでは、自動的に全ての空調機について自己識別情報と設置位置情報とを対応付けることができる。
【００２７】
第７発明に係る空調機対応付け支援システムでは、サービスエンジニア等が空調機の自己認識情報を予め登録する手間を省くことができる。
第８発明に係る空調機対応付け支援システムでは、複数の空調機が集中管理機器に接続されている空調システムにおいて、サービスエンジニア等に負担をかけることなく、簡便に、集中管理機器に空調機のアドレスと空調機の設置場所とを対応付けることができる。
【００２８】
第９発明に係る空調機対応付け支援システムでは、三辺測量などの技術を利用して正確に発音等部の位置、つまり空調機の設置位置を特定することができる。
第１０発明に係る空調機対応付け支援システムでは、システムの構成を簡易なものにすることができる。
第１１発明に係る空調機対応付け支援システムでは、自動的に全ての空調機について自己識別情報と設置位置情報とを対応付けることができる。
【００２９】
第１２発明に係る空調機対応付け支援システムでは、サービスエンジニア等が空調機の自己認識情報を予め登録する手間を省くことができる。
【発明を実施するための最良の形態】
【００３０】
＜第１実施形態＞
本発明の第１実施形態に係るビル管理システム１について図１〜１０の図面を参照しながら説明する。
〔ビル管理システム〕
このビル管理システム１は、図１に示されるように、主に、マルチ式空調機２ａ，２ｂ，・・・、空調コントローラ３、ＲＦＩＤタグ６ａ，６ｂ，６ｃ，６ｄ，・・・、ＲＦＩＤタグリーダ７ａ，７ｂ，７ｃ，・・・、および監視制御コンピュータ８から構成されている。以下、これらの各構成要素について詳述する。
【００３１】
（１）マルチ式空調機
マルチ式空調機２ａ，２ｂ，・・・では、図１に示されるように、１台（複数台であってもよい）の室外機２１ａ，２１ｂ，・・・に対して複数台の室内機２０ａ，２０ｂ，２０ｃ，２０ｄ，・・・が冷媒配管（図示せず）および第１通信線２２ａ，２２ｂ，・・・を介して接続される。そして、この室内機２０ａ，２０ｂ，２０ｃ，２０ｄ，・・・は、室内熱交換器（図示せず）や、膨張弁（図示せず）、室内ファン（図示せず）、電装品ボックス２３（図２参照）などを備えている。この室内機２０ａ，２０ｂ，２０ｃ，２０ｄ，・・・では、室外機２１ａ，２１ｂ，・・・から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機２０ａ，２０ｂ，２０ｃ，２０ｄ，・・・は、居室を冷房したり暖房したりする。また、電装品ボックス２３には、図２に示されるように、マイクロコンピュータ２４、第１ＥＥＰＲＯＭ２５、第１通信回路２６、およびＡ／Ｄコンバータ（アナログ／デジタルコンバータ）２９等が内蔵されている。マイクロコンピュータ２４は、バス線２７ａ，２７ｂ，２７ｃを介して第１ＥＥＰＲＯＭ２５、第１通信回路２６、およびＡ／Ｄコンバータ２９に接続されている。第１通信回路２６は、第１通信線２２ａ，２２ｂ，・・・を介して室外機２１ａ，２１ｂ，・・・および空調コントローラ３と通信接続されている。Ａ／Ｄコンバータ２９は、制御用通信線２８などを介して膨張弁や室内ファン等へ通信接続されている。
【００３２】
マイクロコンピュータ２４は図示しない第１制御部および第１演算部を有しており、第１制御部は第１ＥＥＰＲＯＭ２５に記憶されている制御プログラムに記述される命令や、室外機２１ａ，２１ｂ，・・・または空調コントローラ３から送信される制御信号に従って、膨張弁の開度や室内ファンの回転数を制御したり、第１ＥＥＰＲＯＭ２５に記憶されている各種データ等を第１通信線２２ａ，２２ｂ，・・・を介して室外機２１ａ，２１ｂ，・・・や空調コントローラ３に送信したりする。また、第１演算部は、第１制御部の指示に従って、第１制御部、第１ＥＥＰＲＯＭ２５、または第１通信回路２６から必要なデータを取得して演算処理（例えば、算術演算処理や論理演算処理等）を行う。第１ＥＥＰＲＯＭ２５には、上述した制御プラグラムのみならず各室内機２０ａ，２０ｂ，２０ｃ，２０ｄ，・・・に固有の番号であるシリアル番号データ等が格納されている。
【００３３】
（２）ＲＦＩＤタグ
ＲＦＩＤタグ６ａ，６ｂ，６ｃ，６ｄ，・・・は、図１に示されるように、室内機２０ａ，２０ｂ，２０ｃ，２０ｄ，・・・１台１台に付されている。このＲＦＩＤタグ６ａ，６ｂ，６ｃ，６ｄ，・・・は、いわゆるアクティブ型のＩＣタグであり、図３に示されるように、電池６４、不揮発性メモリ６３、第２通信回路６２、およびアンテナコイル６１を備える。不揮発性メモリ６３には、付されている室内機２０ａ，２０ｂ，２０ｃ，２０ｄ，・・・のシリアル番号データが保持されている。第２通信回路６２は、電池６４から供給される電力を利用して不揮発性メモリ６３に保持されるシリアル番号データを、アンテナコイル６１を介して発信する。なお、本実施形態において、このＲＦＩＤタグ６ａ，６ｂ，６ｃ，６ｄ，・・・の最大交信距離は１０メートル程度である。
【００３４】
（３）空調コントローラ
空調コントローラ３は、マルチ式空調機２ａ，２ｂ，・・・の集中管理機器であって、図４に示されるように、主に、第２中央処理部３１、第２ＲＡＭ（Random Access Memory）３２、第２ＲＯＭ（Read Only Memory）３４、第２ＥＥＰＲＯＭ３５、第２Ｉ／Ｏ制御部３３、モデム用インターフェイス３７、空調機用インターフェイス３８、第２ＬＡＮインターフェイス３９、モデム４０、空調機用コネクタ４１、および第２ＬＡＮコネクタ４２から構成されている。ここで、第２中央処理部３１、第２ＲＡＭ３２、第２ＲＯＭ３４、第２ＥＥＰＲＯＭ３５、および第２Ｉ／Ｏ制御部３３は、例えば、マイクロコンピュータであって、相互に第１バス線３６によって接続されており、１つの集積回路を構成している。また、モデム用インターフェイス３７、空調機用インターフェイス３８、および第２ＬＡＮインターフェイス３９は、例えば、プリント回路基板等であって、第２バス線４３ａ，４３ｂ，４３ｃを介して第２Ｉ／Ｏ制御部３３に接続されている。また、モデム４０は、第７通信線４４を介してモデム用インターフェイス３７に接続されている。また、空調機用コネクタ４１は、第２通信線４５を介して空調機用インターフェイス３８に接続されている。また、第２ＬＡＮコネクタ４２は、第３通信線４６を介して第２ＬＡＮインターフェイス３９に接続されている。
【００３５】
第２中央処理部３１は、主に、第２制御部３１Ａおよび第２演算部３１Ｂを有する。第２制御部３１Ａは、図５に示されるように、第２ＲＯＭ３４に記憶されている空調管理プログラムを読み込み（Ｆｄ６参照）、読み込んだ空調管理プログラムに従って第２演算部３１Ｂ、第２ＲＡＭ３２、第２ＲＯＭ３４、第２ＥＥＰＲＯＭ３５、または第２Ｉ／Ｏ制御部３３に動作を指示する（Ｆｃ１〜Ｆｃ４参照）。第２演算部３１Ｂは、図５に示されるように、第２制御部３１Ａの指示に従って第２制御部３１Ａ、第２ＲＡＭ３２、第２ＲＯＭ３４、または第２ＥＥＰＲＯＭ３５から必要なデータを取得して（Ｆｄ１、Ｆｄ４、およびＦｄ７参照）演算処理（例えば、算術演算処理や論理演算処理等）を行う。また、この第２演算部３１Ｂは、第２制御部３１Ａの指示に従って、演算処理の処理結果データを第２制御部３１Ａに供給することができる（Ｆｄ２参照）。また、この第２演算部３１Ｂは、第２制御部３１Ａの指示に従って、演算処理の処理結果データを第２ＲＡＭ３２や第２ＥＥＰＲＯＭ３５に書き込むことができる（Ｆｄ３参照）。
【００３６】
第２ＲＡＭ３２は、図５に示されるように、第２制御部３１Ａの指示に従って、各種データを第２制御部３１Ａに供給することができる（Ｆｄ５参照）。また、この第２ＲＡＭ３２は、各種データを第２Ｉ／Ｏ制御部３３から取得して（Ｆｄ９参照）一時記憶したり、第２演算部３１Ｂから送信されるデータ（Ｆｄ３参照）を一時記憶したりする。また、この第２ＲＡＭ３２は、第２制御部３１Ａの指示に応じて一時記憶しているデータを第２Ｉ／Ｏ制御部３３に送信する（Ｆｄ８参照）。
【００３７】
第２ＲＯＭ３４は、空調管理プログラムや各種データを格納している。そして、この第２ＲＯＭ３４は、図５に示されるように、第２制御部３１Ａの指示に従って、それらを第２制御部３１Ａに供給する（Ｆｄ６参照）。また、この第２ＲＯＭ３４は、第２制御部３１Ａの指示に従って、各種データを第２演算部３１Ｂに供給することができる（Ｆｄ７参照）。
【００３８】
第２ＥＥＰＲＯＭ３５は、電気的に書き換え可能なＲＯＭであり、室内機２０ａ，２０ｂ，２０ｃ，２０ｄ，・・・のシリアル番号データ、室内機２０ａ，２０ｂ，２０ｃ，２０ｄ，・・・の設置位置データ、マルチ式空調機２ａ，２ｂ，・・・の監視データなどを記憶する。なお、本実施の形態では、室内機２０ａ，２０ｂ，２０ｃ，２０ｄ，・・・のシリアル番号データおよび設置位置データは、後述する監視制御コンピュータ８から、対応付けされたかたちで提供される。
【００３９】
第２Ｉ／Ｏ制御部３３は、モデム４０に着信するデータや、マルチ式空調機２ａ，２ｂ，・・・から送信されてくるデータ、後述する監視制御コンピュータ８から送信されるデータ等を第２ＲＡＭ３２へ入力したり（Ｆｄ９参照）、第２ＲＡＭ３２に記憶されている各種データや制御信号などをモデム４０や、マルチ式空調機２ａ，２ｂ，・・・、監視制御コンピュータ８に送信したりする。
【００４０】
モデム用インターフェイス３７、空調機用インターフェイス３８、および第２ＬＡＮインターフェイス３９は、通信線４４，４５，４６を介してモデム４０、空調機用コネクタ４１、および第２ＬＡＮコネクタ４２に接続されており、モデム４０に着信するデータや、マルチ式空調機２ａ，２ｂ，・・・から送信されてくるデータ、後述する監視制御コンピュータ８から送信されるデータ等を受信すると同時にそれらのデータを第２中央処理部３１が処理可能な形式に変換したり、第２Ｉ／Ｏ制御部３３からモデム４０や、マルチ式空調機２ａ，２ｂ，・・・、監視制御コンピュータ８に出力されるデータおよび制御信号などを、モデム４０や、マルチ式空調機２ａ，２ｂ，・・・、監視制御コンピュータ８が処理可能な形式に変換したりする。
【００４１】
モデム４０は、第２制御部３１Ａの指示に従って、第２ＥＥＰＲＯＭ３５に格納されるマルチ式空調機２ａ，２ｂ，・・・に関する各種データを、３０分時限おきに、公衆電話回線５を介して遠隔監視サーバ４Ａに送信している。また、このモデム４０は、第２演算部３１Ｂにおいてマルチ式空調機２ａ，２ｂ，・・・に異常が発生したと判定された場合、第２制御部３１Ａの指示に従って異常識別コード（マルチ式空調機２ａ，２ｂ，・・・から送信されてくる）、マルチ式空調機２ａ，２ｂ，・・・の機種番号や機種名などのデータ、および顧客ＩＤデータなどとともに即座に公衆電話回線５を介して遠隔監視サーバ４Ａに送信する。また、このモデム４０は、サービスエンジニア等の要求により、出荷管理サーバ４Ｂから、出荷済み室内機２０ａ，２０ｂ，２０ｃ，２０ｄ，・・・のシリアル番号リストデータをダウンロードすることができる。
空調機用コネクタ４１には、図４に示されるように、第８通信線３０を介してマルチ式空調機２ａ，２ｂ，・・・の室外機２１ａ，２１ｂ，・・・が接続される。
第２ＬＡＮコネクタ４２には、図４に示されるように、イーサネットケーブル９９を介して監視制御コンピュータ８が接続される。
【００４２】
（４）ＲＦＩＤタグリーダ
ＲＦＩＤタグリーダ７ａ，７ｂ，７ｃ，・・・は、ＲＦＩＤタグ６ａ，６ｂ，６ｃ，６ｄ，・・・から発信されるデータを読み取る装置であって、図６に示されるように、主に、第３中央処理部７１、第３ＲＡＭ（Random Access Memory）７２、第３ＲＯＭ（Read Only Memory）７４、第３Ｉ／Ｏ制御部７３、第３ＬＡＮインターフェイス７８、および受信部７９から構成されている。ここで、第３中央処理部７１、第３ＲＡＭ７２、第３ＲＯＭ７４、および第３Ｉ／Ｏ制御部７３は、例えば、マイクロコンピュータであって、相互に第３バス線７５によって接続されており、１つの集積回路を構成している。また、第３ＬＡＮインターフェイス７８は、例えば、プリント回路基板等であって、第４バス線７６ｂを介して第３Ｉ／Ｏ制御部７３に接続されている。また、受信部７９は、第４バス線７６ａを介して第３Ｉ／Ｏ制御部７３に接続されている。また、第３ＬＡＮコネクタ５１は、第４通信線５３を介して第３ＬＡＮインターフェイス７８に接続されている。
【００４３】
第３中央処理部７１は、主に、第３制御部７１Ａおよび第３演算部７１Ｂを有する。第３制御部７１Ａは、図７に示されるように、第３ＲＯＭ７４に記憶されているデータ読取プログラムや電波強度測定プログラムを読み込み（Ｆｄ６参照）、読み込んだデータ読取プログラムや電波強度測定プログラムに従って第３演算部７１Ｂ、第３ＲＡＭ７２、第３ＲＯＭ７４、または第３Ｉ／Ｏ制御部７３に動作を指示する（Ｆｃ１〜Ｆｃ４参照）。第３演算部７１Ｂは、図７に示されるように、第３制御部７１Ａの指示に従って第３制御部７１Ａ、第３ＲＡＭ７２、または第３ＲＯＭ７４から必要なデータを取得して（Ｆｄ１、Ｆｄ４、およびＦｄ７参照）演算処理（例えば、算術演算処理や論理演算処理等）を行う。また、この第３演算部７１Ｂは、第３制御部７１Ａの指示に従って、演算処理の処理結果データを第３制御部７１Ａに供給することができる（Ｆｄ２参照）。また、この第３演算部７１Ｂは、第３制御部７１Ａの指示に従って、演算処理の処理結果データを第３ＲＡＭ７２に書き込むことができる（Ｆｄ３参照）。
【００４４】
第３ＲＡＭ７２は、図７に示されるように、第３制御部７１Ａの指示に従って、各種データを第３制御部７１Ａに供給することができる（Ｆｄ５参照）。また、この第３ＲＡＭ７２は、各種データを第３Ｉ／Ｏ制御部７３から取得して（Ｆｄ９参照）一時記憶したり、第３演算部７１Ｂから送信されるデータ（Ｆｄ３参照）を一時記憶したりする。また、この第３ＲＡＭ７２は、第３制御部７１Ａの指示に応じて一時記憶しているデータを第３Ｉ／Ｏ制御部７３に送信する（Ｆｄ８参照）。
【００４５】
第３ＲＯＭ７４は、データ読取プログラムや、電波強度測定プログラム、フロアーデータ（ビルの階層データ）等の各種データ等を格納している。そして、この第３ＲＯＭ７４は、図７に示されるように、第３制御部７１Ａの指示に従って、それらを第３制御部７１Ａに供給する（Ｆｄ６参照）。また、この第３ＲＯＭ７４は、第３制御部７１Ａの指示に従って、各種データを第３演算部７１Ｂに供給することができる（Ｆｄ７参照）。
【００４６】
第３Ｉ／Ｏ制御部７３は、受信部７９において受信されるデータや、監視制御コンピュータ８から送信されるデータ等を第３ＲＡＭ７２へ入力したり（Ｆｄ９参照）、第３ＲＡＭ７２に記憶されている各種データや制御信号などを監視制御コンピュータ８に送信したりする。
受信部７９は、ＲＦＩＤタグ６ａ，６ｂ，６ｃ，６ｄ，・・・から発信されるデータを受信して、その受信データを第３Ｉ／Ｏ制御部７３に送信する。
【００４７】
第３ＬＡＮインターフェイス７８は、第４通信線５３を介して第３ＬＡＮコネクタ５１に接続されており、監視制御コンピュータ８から送信されるデータ等を受信すると同時にそれらのデータを第３中央処理部７１が処理可能な形式に変換したり、第３Ｉ／Ｏ制御部７３から監視制御コンピュータ８に出力されるデータおよび制御信号などを、監視制御コンピュータ８が処理可能な形式に変換したりする。
【００４８】
第３ＬＡＮコネクタ５１には、図６に示されるように、イーサネットケーブル９９を介して監視制御コンピュータ８が接続される。
なお、ＲＦＩＤタグリーダ７ａ，７ｂ，７ｃ，・・・は、各居室において、ＲＦＩＤタグ６ａ，６ｂ，６ｃ，６ｄ，・・・から１０メートル範囲内に必ず３台以上のＲＦＩＤタグリーダ７ａ，７ｂ，７ｃ，・・・が存在するように配置される。
【００４９】
（５）監視制御コンピュータ
監視制御コンピュータ８は、図８に示されるように、主に、本体８０、入力装置８９、およびディスプレイ９０から構成されている。
本体８０は、図８に示されるように、主に、第４中央処理部８１、メインメモリ８３、ハードディスク８４、接続部８２、ＩＤＥインターフェイス８５、入力インターフェイス８６、ディスプレイインターフェイス８７、第４ＬＡＮインターフェイス８８、および第４ＬＡＮコネクタ９６から構成されている。そして、この本体８０では、第４中央処理部８１が第５バス線９１を介して、メインメモリ８３が第６バス線９２を介して、各種インターフェイス８５〜８８が第７バス線９３を介して接続部８２に接続されている。
【００５０】
ここで、第４中央処理部８１は、例えば、マイクロプロセッサと呼ばれる半導体チップ等であって、主に、第４制御部８１Ａおよび第４演算部８１Ｂから構成される（他に１次キャッシュメモリや２次キャッシュメモリ等を含んでいてもよい）。
メインメモリ８３は、例えば、ＲＡＭ（ランダムアクセスメモリ）等の半導体チップである。接続部８２は、チップセット等の半導体チップである。
【００５１】
ハードディスク８４には、図９に示されるように、オペレーティングシステム８４ａ、デバイスドライバ８４ｂ、および位置データ導出アプリケーション８４ｃや、室内機バインディングアプリケーション８４ｄといったプログラム、その他データベース８４ｅ，８４ｆ，８４ｇ等が格納されている。なお、このハードディスク８４は、外付けタイプであってもかまわない。オペレーティングシステム８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部８２〜８４、各種インターフェイス８５〜８８、各装置８９，９０等のハードウェア管理や、ユーザインターフェイスの提供、各種データの管理、アプリケーションの共通部分の処理等を行う。デバイスドライバ８４ｂは、ハードディスク８４、接続部８２、および各装置８９，９０それぞれに対して用意されている専用プログラムであって、オペレーティングシステム８４ａがハードディスク８４、接続部８２、および各装置８９，９０を制御するための橋渡しを行う。位置データ導出アプリケーション８４ｃは、３台以上のＲＦＩＤタグリーダ７ａ，７ｂ，７ｃ，・・・から送信されてくる室内機２０ａ，２０ｂ，２０ｃ，２０ｄ，・・・のシリアル番号データおよび電波強度データを利用してＲＦＩＤタグ６ａ，６ｂ，６ｃ，６ｄ，・・・の位置データ（平面座標データ）を導出したり、人の携帯する携帯電話から発信される個人識別データおよび電波強度データを利用して携帯電話の位置データを導出したりするためのプログラムである。なお、本実施の形態において、位置データ導出アプリケーション８４ｃは常時実行されている。室内機バインディングアプリケーション８４ｄは、室内機２０ａ，２０ｂ，２０ｃ，２０ｄ，・・・のシリアル番号データと、位置データ導出アプリケーション８４ｃにより導出された位置データと、ＲＦＩＤタグリーダ７ａ，７ｂ，７ｃ，・・・から送信されるフロアーデータとを対応付けて第１データベース８４ｅに格納したり、位置データ導出アプリケーション８４ｃにより導出された位置データとシリアル番号データとの対応付けが第２データベース８４ｆ（サービスエンジニア等が室内機２０ａ，２０ｂ，２０ｃ，２０ｄ，・・・の施工図面などに基づいて室内機２０ａ，２０ｂ，２０ｃ，２０ｄ，・・・のシリアル番号データと設置位置データとを対応付けながら入力して作成したもの）に登録される対応付けと一致するか否かを判定したり、ＲＦＩＤタグリーダ７ａ，７ｂ，７ｃ，・・・から送信されてくるシリアル番号データが第３データベース８４ｇ（出荷管理サーバ４Ｂからダウンロードされたシリアル番号リストデータ）の中に存在するかを判定したりするためのプログラムである。なお、これら２つの判定において、位置データ導出アプリケーション８４ｃにより導出された位置データとシリアル番号データとの対応付けが第２データベース８４ｆに登録される対応付けと一致しない場合、およびＲＦＩＤタグリーダ７ａ，７ｂ，７ｃ，・・・から送信されてくるシリアル番号データが第３データベース８４ｇの中に存在しない場合、第４演算部８１Ｂは、第４���御部８１Ａの指示に従って、ディスプレイ９０に警告情報を表示したり、図示しないスピーカに対して警告音を発せさせたりする。また、後者の判定において、ＲＦＩＤタグリーダ７ａ，７ｂ，７ｃ，・・・から送信されてくるシリアル番号データが第３データベース８４ｇの中に存在しない場合、監視制御コンピュータ８は、出荷管理サーバ４Ｂにそのシリアル番号データを送信する。
【００５２】
ＩＤＥ（Integrated Drive Electronics）インターフェイス８５は、ハードディスク８４を接続部８２に接続する。入力インターフェイス８６は、例えば、ＰＳ／２、ＵＳＢ、ＩＥＥＥ１２８４、ＲＳ２３２、あるいはＩｒＤＡ（Infrared Data Association）等のインターフェイスであって、メインメモリ８３にデータを入力するためのキーボード、マウス、スキャナ、あるいはＯＣＲ（Optical Character Reader）等といった入力装置８９を接続する。ディスプレイインターフェイス８７は、例えば、ＡＧＰ（Accelerated Graphics Port）、ＰＣＩ（Peripheral Component Interconnect）、あるいはＲＳ２３２等のインターフェイスであって、メインメモリ８３から送信されてきたデータを文字や画像として表示するためのＣＲＴディスプレイ、液晶ディスプレイ、あるいはプラズマディスプレイ等といったディスプレイ９０を接続する。第４ＬＡＮインターフェイス８８は、第５通信線９５を介して第４ＬＡＮコネクタ９６に接続されており、空調コントローラ３やＲＦＩＤタグリーダ７ａ，７ｂ，７ｃ，・・・から送信されるデータ等を受信すると同時にそれらのデータを第４中央処理部８１が処理可能な形式に変換したり、空調コントローラ３やＲＦＩＤタグリーダ７ａ，７ｂ，７ｃ，・・・に出力されるデータおよび制御信号などを、空調コントローラ３やＲＦＩＤタグリーダ７ａ，７ｂ，７ｃ，・・・が処理可能な形式に変換したりする。
【００５３】
第４ＬＡＮコネクタ９６には、図８に示されるように、イーサネットケーブル９９およびルータ（図示せず）を介して空調コントローラ３およびＲＦＩＤタグリーダ７ａ，７ｂ，７ｃ，・・・が接続される。
次に、図１０を用いて監視制御コンピュータ８の動作について説明する。
第４制御部８１Ａは、図１０に示されるように、メインメモリ８３に一時記憶されるプログラムを読み込み（Ｆｄ６参照）、読み込んだプログラムに従って各部８２〜８４および各装置８９，９０に動作を指示する（Ｆｃ１〜Ｆｃ６参照）。第４演算部８１Ｂは、第４制御部８１Ａの命令に従ってメインメモリ８３から必要なデータを取得して（Ｆｄ２参照）演算処理（例えば、算術演算処理や論理演算処理等）を行う。メインメモリ８３は、プログラムやデータ等をハードディスク８４から取得して（Ｆｄ４参照）一時記憶したり、入力装置８９において入力されたデータを一時記憶したり（Ｆｄ１参照）、第４演算部８１Ｂや第４ＬＡＮインターフェイス８８等から送信されるデータ等（Ｆｄ３およびＦｄ９参照）を一時記憶したりする。また、このメインメモリ８３は、第４制御部８１Ａの命令に応じて一時記憶しているデータ等を各部８２〜８４および各装置８９，９０に送信する（Ｆｄ２、Ｆｄ５、Ｆｄ７、およびＦｄ８参照）。ハードディスク８４は、第４制御部８１Ａの命令に応じてメインメモリ８３にプログラムやデータ等を供給したり（Ｆｄ４参照）メインメモリ８３から送信されるデータ等を格納したりする（Ｆｄ５参照）。
【００５４】
〔室内機のシリアル番号データと設置位置データとの対応付け処理〕
図１１には、室内機のシリアル番号データと設置位置データとの対応付け処理の流れを表すフローチャートを示す。
図１１において、ステップＳ１では、受信部７９が、ＲＦＩＤタグ６ａ，６ｂ，６ｃ，６ｄ，・・・からシリアル番号データを受信する。ステップＳ２では、第３演算部７１Ｂが第３制御部７１Ａの指示に従って、受信部７９から第３Ｉ／Ｏ制御部７３および第３ＲＡＭ７２を介して送信されてくるデータに基づいて、受信したシリアル番号データが乗っていた電波の電波強度データを導出する。ステップＳ３では、第３Ｉ／Ｏ制御部７３が、第３制御部７１Ａの指示に従って、ステップＳ１において受信したシリアル番号データと、ステップＳ２において導出された電波強度データと、予め登録されているフロアーデータとを一組のデータとして、第３ＬＡＮインターフェイス７８を介して監視制御コンピュータ８に送信する。ステップＳ４では、第４演算部８１Ｂが、第４制御部８１Ａの指示に従って、第４ＬＡＮインターフェイス８８から接続部８２およびメインメモリ８３を介して送信されてくる一組のシリアル番号データと電波強度データとフロアーデータとを自身に入力し、シリアル番号データが同一である３つ電波強度データからＲＦＩＤタグ６ａ，６ｂ，６ｃ，６ｄ，・・・の位置データを導出する。なお、これらのＲＦＩＤタグ６ａ，６ｂ，６ｃ，６ｄ，・・・の位置データは、室内機２０ａ，２０ｂ，２０ｃ，２０ｄ，・・・の設置位置データとして利用される。ステップＳ５では、第４演算部８１Ｂが、第４制御部８１Ａの指示に従って、位置データと、位置データを導出するのに用いた電波強度データと一組にされていたシリアル番号データとフロアーデータとを対応付けて第１データベース８４ｅに格納する。
【００５５】
なお、この後、この第１データベース８４ｅは、サービスエンジニア等により空調コントローラ３にコピー処理される。
〔空調コントローラによる通信専用アドレスの付与〕
図１２には、空調コントローラ３による通信専用アドレスの付与の流れを表すフローチャートを示す。
【００５６】
図１２において、ステップＳ２１では、第２ＲＡＭ３２が、第２制御部３１Ａの指示に従って、第２ＥＥＰＲＯＭ３５からシリアル番号データを読み込む。
ステップＳ２２では、第２演算部３１Ｂが、第２制御部３１Ａの指示に従って、第２ＲＡＭ３２からシリアル番号データを読み込み、シリアル番号データそれぞれに対してランダムに固有の通信専用アドレスを付与し、それらのデータを第２ＲＡＭ３２に書き込む。
【００５７】
ステップＳ２３では、第２Ｉ／Ｏ制御部３３が、第２制御部３１Ａの指示に従って、第２ＲＡＭ３２に書き込まれているシリアル番号データと、そのシリアル番号データそれぞれに付与されている通信専用アドレスとを、第８通信線３０を介して各シリアル番号データに対応する室内機２０ａ，２０ｂ，２０ｃ，２０ｄ，・・・それぞれに対して送信する。
【００５８】
ステップＳ２４では、各室内機２０ａ，２０ｂ，２０ｃ，２０ｄ，・・・において、第１通信回路２６が、第１制御部の指示に従って、空調コントローラ３から送信されてきたシリアル番号データと通信専用アドレスとを受信する。
ステップＳ２５では、第１演算部が、第１制御部の指示に従って、空調コントローラ３から送信されてきたシリアル番号データと、第１ＥＥＰＲＯＭ２５に格納されているシリアル番号データとが一致するかを判定する。ステップＳ２５の第１演算部の判定の結果、空調コントローラ３から送信されてきたシリアル番号データと、第１ＥＥＰＲＯＭ２５に格納されているシリアル番号データとが一致する場合、処理はステップＳ２６に移る。ステップＳ２５の第１演算部の判定の結果、空調コントローラ３から送信されてきたシリアル番号データと、第１ＥＥＰＲＯＭ２５に格納されているシリアル番号データとが一致しない場合、処理はステップＳ２７に移る。
【００５９】
ステップＳ２６では、第１制御部が、通信専用アドレスを第１ＥＥＰＲＯＭ２５に書き込む。
ステップＳ２７では、第１制御部が、通信専用アドレスを破棄する（第１ＥＥＰＲＯＭ２５に書き込まずに放置する）。
なお、本実施の形態では、上記の処理が全てのシリアル番号データについて完了するまで繰り返される。
【００６０】
〔ビル管理システムの特徴〕
（１）
第１実施形態に係るビル管理システム１では、室内機２０ａ，２０ｂ，２０ｃ，２０ｄ，・・・に、シリアル番号データが格納されるＲＦＩＤタグ６ａ，６ｂ，６ｃ，６ｄ，・・・が付されている。そして、ＲＦＩＤタグリーダ７ａ，７ｂ，７ｃ，・・・が、ＲＦＩＤタグ６ａ，６ｂ，６ｃ，６ｄ，・・・から発信される室内機２０ａ，２０ｂ，２０ｃ，２０ｄ，・・・のシリアル番号データを受信する。また、監視制御コンピュータ８は、３台のＲＦＩＤタグリーダ７ａ，７ｂ，７ｃ，・・・から送信される電波強度データを利用してＲＦＩＤタグ６ａ，６ｂ，６ｃ，６ｄ，・・・の位置データを導出し、そのＲＦＩＤタグ６ａ，６ｂ，６ｃ，６ｄ，・・・の位置データを室内機２０ａ，２０ｂ，２０ｃ，２０ｄ，・・・の設置位置データとみなす。そして、監視制御コンピュータ８は、シリアル番号データと、設置位置データと、ＲＦＩＤタグリーダ７ａ，７ｂ，７ｃ，・・・から送信されてくるフロアーデータとを対応付けて第１データベース８４ｅに格納する。このため、このビル管理システム１では、マルチ式空調システムにおいて、サービスエンジニア等に負担をかけることなく、簡便に、空調コントローラ３に室内機２０ａ，２０ｂ，２０ｃ，２０ｄ，・・・のシリアル番号データと設置位置データとを対応付けることができる。
【００６１】
（２）
第１実施形態に係るビル管理システム１では、サービスエンジニア等は、予め、設計データに基づいて、監視制御コンピュータ８の第２データベース８４ｆに室内機２０ａ，２０ｂ，２０ｃ，２０ｄ，・・・のシリアル番号データと設置位置データとを対応付けて入力することができる。そして、監視制御コンピュータ８が、シリアル番号データと設置位置データとフロアーデータとを対応付けて第１データベース８４ｅに格納する前に、その対応付けと設計データに基づく対応付けとが一致するか否かを判定し、それらの対応付けが一致しない場合、ディスプレイ９０に警告情報を表示したり、スピーカに対して警告音を発せさせたりする。このため、このビル管理システム１では、サービスエンジニア等は、正しい設置位置に正しい室内機２０ａ，２０ｂ，２０ｃ，２０ｄ，・・・が設置されているか否かを容易に確認することができる。
【００６２】
（３）
第１実施形態に係るビル管理システム１では、監視制御コンピュータ８が、シリアル番号データと設置位置データとフロアーデータとを対応付けて第１データベース８４ｅに格納する前に、そのシリアル番号データが第３データベース８４ｇに列挙されているシリアル番号リストデータ中に存在するかを判定し、そのシリアル番号データがシリアル番号リストデータ中に存在しない場合、ディスプレイ９０に警告情報を表示したりスピーカに対して警告音を発せさせたりするのと同時に、出荷管理サーバ４Ｂにそのシリアル番号データを送信する。このため、このビル管理システム１では、サービスエンジニア等は、物件に空調機が正しく納入されているか否かについても確認することができ、かつ、出荷管理担当者などは、納入ミスにいち早く気づき、対策を講じることができる。
【００６３】
〔変形例〕
（Ａ）
先の実施の形態に係るビル管理システム１では、ＲＦＩＤタグ６ａ，６ｂ，６ｃ，６ｄ，・・・の不揮発性メモリ６３に、各室内機２０ａ，２０ｂ，２０ｃ，２０ｄ，・・・のシリアル番号が記憶されていたが、これに代えて、不揮発性メモリ６３に、ＩＰアドレスやＭＡＣアドレスなどを記憶させておいてもよい。
【００６４】
（Ｂ）
先の実施の形態に係るビル管理システム１では、互いに対応付けられたシリアル番号データと設置位置データとが監視制御コンピュータ８から第２ＥＥＰＲＯＭ３５にコピー処理された後に、各室内機２０ａ，２０ｂ，２０ｃ，２０ｄ，・・・に対して固有の通信専用アドレスが付与された。しかし、互いに対応付けられたシリアル番号データと設置位置データとが監視制御コンピュータ８から第２ＥＥＰＲＯＭ３５にコピー処理される前に、各室内機２０ａ，２０ｂ，２０ｃ，２０ｄ，・・・に対して固有の通信専用アドレスが付与されていてもよい（例えば、特許２６９９７３４号明細書参照）。かかる場合、図１３に示されるフローチャートに従って、各室内機２０ａ，２０ｂ，２０ｃ，２０ｄ，・・・に固有の通信専用アドレスと設置位置データとが対応付けられる。
【００６５】
図１３においてステップＳ３１では、第２ＲＡＭ３２が、第２制御部３１Ａの指示に従って、第２ＥＥＰＲＯＭ３５から通信専用アドレスを読み込む。
ステップＳ３２では、第２制御部３１Ａが、第２ＲＡＭ３２に記憶されている通信専用アドレスに対応する室内機２０ａ，２０ｂ，２０ｃ，２０ｄ，・・・に対してシリアル番号データの送信を要求する。
【００６６】
ステップＳ３３では、通信専用アドレスに対応する室内機２０ａ，２０ｂ，２０ｃ，２０ｄ，・・・の第１通信回路２６が、第１制御部の指示に従って、第１ＥＥＰＲＯＭ２５に保存されているシリアル番号データを、空調コントローラ３に送信する。
ステップＳ３４では、第２Ｉ／Ｏ制御部３３が、第２制御部３１Ａに従って、第１通信回路２６から送信されてくるシリアル番号データを受信し、第２ＲＡＭ３２に一時記憶する。
【００６７】
ステップＳ３５では、第２演算部３１Ｂが、第２制御部３１Ａの指示に従って、第２ＲＡＭ３２から、シリアル番号データとステップＳ３１において記憶された通信専用アドレスとを取得する。
ステップＳ３６では、第２演算部３１Ｂが、第２制御部３１Ａの指示に従って、第２ＥＥＰＲＯＭ３５に保存されている「互いに対応付けられたシリアル番号データと設置位置データと」を参照して、ステップＳ３５において取得されたシリアル番号データに対応する設置位置データを導出する。
【００６８】
ステップＳ３７では、第２演算部３１Ｂが、第２制御部３１Ａの指示に従って、ステップＳ３６において導出された設置位置データを、ステップＳ３１において第２ＲＡＭ３２に記憶された通信専用アドレスに対応付けて第２ＥＥＰＲＯＭ３５に保存する。
なお、本変形例では、上記の処理が全ての通信専用アドレスについて完了するまで繰り返される。
【００６９】
＜第２実施形態＞
本発明の第２実施形態に係るビル管理システム１０１について図１４〜２１の図面を参照しながら説明する。
〔ビル管理システム〕
このビル管理システム１０１は、図１４に示されるように、主に、マルチ式空調機１０２ａ，１０２ｂ，・・・、空調コントローラ１０３、受光器１０７ａ，１０７ｂ，１０７ｃ，・・・、および監視制御コンピュータ１０８から構成されている。以下、これらの各構成要素について詳述する。
【００７０】
（１）マルチ式空調機
マルチ式空調機１０２ａ，１０２ｂ，・・・では、図１４に示されるように、１台（複数台であってもよい）の室外機１２１ａ，１２１ｂ，・・・に対して複数台の室内機１２０ａ，１２０ｂ，１２０ｃ，１２０ｄ，・・・が冷媒配管（図示せず）および第１１通信線１２２ａ，１２２ｂ，・・・を介して接続される。そして、この室内機１２０ａ，１２０ｂ，１２０ｃ，１２０ｄ，・・・は、室内熱交換器（図示せず）や、膨張弁（図示せず）、室内ファン（図示せず）、電装品ボックス１２３、ＬＥＤ１０６ａ，１０６ｂ，１０６ｃ，１０６ｄ，・・・（図１５参照）などを備えている。この室内機１２０ａ，１２０ｂ，１２０ｃ，１２０ｄ，・・・では、室外機１２１ａ，１２１ｂ，・・・から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機１２０ａ，１２０ｂ，１２０ｃ，１２０ｄ，・・・は、居室を冷房したり暖房したりする。また、電装品ボックス１２３には、図１５に示されるように、マイクロコンピュータ１２４、第５ＥＥＰＲＯＭ１２５、第５通信回路１２６、およびＡ／Ｄコンバータ（アナログ／デジタルコンバータ）１２９等が内蔵されている。マイクロコンピュータ１２４は、バス線１２７ａ，１２７ｂ，１２７ｃを介して第５ＥＥＰＲＯＭ１２５、第５通信回路１２６、およびＡ／Ｄコンバータ１２９に接続されている。第５通信回路１２６は、第１１通信線１２２ａ，１２２ｂ，・・・を介して室外機１２１ａ，１２１ｂ，・・・および空調コントローラ１０３と通信接続されている。Ａ／Ｄコンバータ１２９は、制御用通信線１２８などを介して膨張弁や、室内ファン、ＬＥＤ１０６ａ，１０６ｂ，１０６ｃ，１０６ｄ等へ通信接続されている。
【００７１】
マイクロコンピュータ１２４は図示しない第５制御部および第５演算部を有しており、第５制御部は第５ＥＥＰＲＯＭ１２５に記憶されている制御プログラムに記述される命令や、室外機１２１ａ，１２１ｂ，・・・または空調コントローラ１０３から送信される制御信号に従って、膨張弁の開度や室内ファンの回転数を制御したり、第５ＥＥＰＲＯＭ１２５に記憶されている各種データ等を第１１通信線１２２ａ，１２２ｂ，・・・を介して室外機１２１ａ，１２１ｂ，・・・や空調コントローラ１０３に送信したりする。また、第５演算部は、第５制御部の指示に従って、第５制御部、第５ＥＥＰＲＯＭ１２５、または第５通信回路１２６から必要なデータを取得して演算処理（例えば、算術演算処理や論理演算処理等）を行う。第５ＥＥＰＲＯＭ１２５には、上述した制御プラグラムのみならず各室内機１２０ａ，１２０ｂ，１２０ｃ，１２０ｄ，・・・に固有の番号であるシリアル番号データ等が格納されている。ＬＥＤ１０６ａ，１０６ｂ，１０６ｃ，１０６ｄ，・・・は、室内機１２０ａ，１２０ｂ，１２０ｃ，１２０ｄ，・・・が通常運転モードに設定されている場合、運転時に点灯し、停止時に消灯する。また、このＬＥＤ１０６ａ，１０６ｂ，１０６ｃ，１０６ｄ，・・・は、室内機１２０ａ，１２０ｂ，１２０ｃ，１２０ｄ，・・・がメンテナンスモードに設定されている状態において空調コントローラ１０３から第５通信回路１２６に発光指令信号が送信されてくると、発光するようになっている。
【００７２】
（２）空調コントローラ
空調コントローラ１０３は、マルチ式空調機１０２ａ，１０２ｂ，・・・の集中管理機器であって、図１６に示されるように、主に、第６中央処理部１３１、第６ＲＡＭ１３２、第６ＲＯＭ１３４、第６ＥＥＰＲＯＭ１３５、第６Ｉ／Ｏ制御部１３３、モデム用インターフェイス１３７、空調機用インターフェイス１３８、第６ＬＡＮインターフェイス１３９、モデム１４０、空調機用コネクタ１４１、および第６ＬＡＮコネクタ１４２から構成されている。ここで、第６中央処理部１３１、第６ＲＡＭ１３２、第６ＲＯＭ１３４、第６ＥＥＰＲＯＭ１３５、および第６Ｉ／Ｏ制御部１３３は、例えば、マイクロコンピュータであって、相互に第１１バス線１３６によって接続されており、１つの集積回路を構成している。また、モデム用インターフェイス１３７、空調機用インターフェイス１３８、および第６ＬＡＮインターフェイス１３９は、例えば、プリント回路基板等であって、第１２バス線１４３ａ，１４３ｂ，１４３ｃを介して第６Ｉ／Ｏ制御部１３３に接続されている。また、モデム１４０は、第１１通信線１４４を介してモデム用インターフェイス１３７に接続されている。また、空調機用コネクタ１４１は、第１２通信線１４５を介して空調機用インターフェイス１３８に接続されている。また、第６ＬＡＮコネクタ１４２は、第１３通信線１４６を介して第６ＬＡＮインターフェイス１３９に接続されている。
【００７３】
第６中央処理部１３１は、主に、第６制御部１３１Ａおよび第６演算部１３１Ｂを有する。第６制御部１３１Ａは、図１７に示されるように、第６ＲＯＭ１３４に記憶されている空調管理プログラムを読み込み（Ｆｄ６参照）、読み込んだ空調管理プログラムに従って第６演算部１３１Ｂ、第６ＲＡＭ１３２、第６ＲＯＭ１３４、第６ＥＥＰＲＯＭ１３５、または第６Ｉ／Ｏ制御部１３３に動作を指示する（Ｆｃ１〜Ｆｃ４参照）。第６演算部１３１Ｂは、図１７に示されるように、第６制御部１３１Ａの指示に従って第６制御部１３１Ａ、第６ＲＡＭ１３２、第６ＲＯＭ１３４、または第６ＥＥＰＲＯＭ１３５から必要なデータを取得して（Ｆｄ１、Ｆｄ４、およびＦｄ７参照）演算処理（例えば、算術演算処理や論理演算処理等）を行う。また、この第６演算部１３１Ｂは、第６制御部１３１Ａの指示に従って、演算処理の処理結果データを第６制御部１３１Ａに供給することができる（Ｆｄ２参照）。また、この第６演算部１３１Ｂは、第６制御部１３１Ａの指示に従って、演算処理の処理結果データを第６ＲＡＭ１３２や第６ＥＥＰＲＯＭ１３５に書き込むことができる（Ｆｄ３参照）。
【００７４】
第６ＲＡＭ１３２は、図１７に示されるように、第６制御部１３１Ａの指示に従って、各種データを第６制御部１３１Ａに供給することができる（Ｆｄ５参照）。また、この第６ＲＡＭ１３２は、各種データを第６Ｉ／Ｏ制御部１３３から取得して（Ｆｄ９参照）一時記憶したり、第６演算部１３１Ｂから送信されるデータ（Ｆｄ３参照）を一時記憶したりする。また、この第６ＲＡＭ１３２は、第６制御部１３１Ａの指示に応じて一時記憶しているデータを第６Ｉ／Ｏ制御部１３３に送信する（Ｆｄ８参照）。
【００７５】
第６ＲＯＭ１３４は、空調管理プログラムや各種データを格納している。そして、この第６ＲＯＭ１３４は、図１７に示されるように、第６制御部１３１Ａの指示に従って、それらを第６制御部１３１Ａに供給する（Ｆｄ６参照）。また、この第６ＲＯＭ１３４は、第６制御部１３１Ａの指示に従って、各種データを第６演算部１３１Ｂに供給することができる（Ｆｄ７参照）。
【００７６】
第６ＥＥＰＲＯＭ１３５は、電気的に書き換え可能なＲＯＭであり、室内機１２０ａ，１２０ｂ，１２０ｃ，１２０ｄ，・・・のシリアル番号データ、室内機１２０ａ，１２０ｂ，１２０ｃ，１２０ｄ，・・・の設置位置データ、マルチ式空調機１０２ａ，１０２ｂ，・・・の監視データなどを記憶する。なお、本実施の形態では、室内機１２０ａ，１２０ｂ，１２０ｃ，１２０ｄ，・・・のシリアル番号データおよび設置位置データは、後述する監視制御コンピュータ１０８から、対応付けされたかたちで提供される。
【００７７】
第６Ｉ／Ｏ制御部１３３は、モデム１４０に着信するデータや、マルチ式空調機１０２ａ，１０２ｂ，・・・から送信されてくるデータ、後述する監視制御コンピュータ１０８から送信されるデータや制御信号（発光指令信号発信要求信号を含む）等を第６ＲＡＭ１３２へ入力したり（Ｆｄ９参照）、第６ＲＡＭ１３２に記憶されている各種データや制御信号（発光指令信号を含む）などをモデム１４０や、マルチ式空調機１０２ａ，１０２ｂ，・・・、監視制御コンピュータ１０８に送信したりする。
【００７８】
モデム用インターフェイス１３７、空調機用インターフェイス１３８、および第６ＬＡＮインターフェイス１３９は、通信線１４４，１４５，１４６を介してモデム１４０、空調機用コネクタ１４１、および第６ＬＡＮコネクタ１４２に接続されており、モデム１４０に着信するデータや、マルチ式空調機１０２ａ，１０２ｂ，・・・から送信されてくるデータ、後述する監視制御コンピュータ１０８から送信されるデータ等を受信すると同時にそれらのデータを第６中央処理部１３１が処理可能な形式に変換したり、第６Ｉ／Ｏ制御部１３３からモデム１４０や、マルチ式空調機１０２ａ，１０２ｂ，・・・、監視制御コンピュータ１０８に出力されるデータおよび制御信号などを、モデム１４０や、マルチ式空調機１０２ａ，１０２ｂ，・・・、監視制御コンピュータ１０８が処理可能な形式に変換したりする。
【００７９】
モデム１４０は、第６制御部１３１Ａの指示に従って、第６ＥＥＰＲＯＭ１３５に格納されるマルチ式空調機１０２ａ，１０２ｂ，・・・に関する各種データを、３０分時限おきに、公衆電話回線５を介して遠隔監視サーバ４Ａに送信している。また、このモデム１４０は、第６演算部１３１Ｂにおいてマルチ式空調機１０２ａ，１０２ｂ，・・・に異常が発生したと判定された場合、第６制御部１３１Ａの指示に従って異常識別コード（マルチ式空調機１０２ａ，１０２ｂ，・・・から送信されてくる）、マルチ式空調機１０２ａ，１０２ｂ，・・・の機種番号や機種名などのデータ、および顧客ＩＤデータなどとともに即座に公衆電話回線５を介して遠隔監視サーバ４Ａに送信する。また、このモデム１４０は、サービスエンジニア等の要求により、出荷管理サーバ４Ｂから、出荷済み室内機１２０ａ，１２０ｂ，１２０ｃ，１２０ｄ，・・・のシリアル番号リストデータをダウンロードすることができる。なお、このシリアル番号リストデータは、後述する監視制御コンピュータ１０８の第４データベース１８４ｅに登録される。
【００８０】
空調機用コネクタ１４１には、図１６に示されるように、第１８通信線１３０を介してマルチ式空調機１０２ａ，１０２ｂ，・・・の室外機１２１ａ，１２１ｂ，・・・が接続される。
第６ＬＡＮコネクタ１４２には、図１６に示されるように、イーサネットケーブル１９９を介して監視制御コンピュータ１０８が接続される。
【００８１】
（３）受光器
受光器１０７ａ，１０７ｂ，１０７ｃ，１０７ｄ，・・・は、室内機１２０ａ，１２０ｂ，１２０ｃ，１２０ｄ，・・・と一対となるようにビル内に配置されており、イーサネットケーブルを介して監視制御コンピュータ１０８に接続されている。この受光器１０７ａ，１０７ｂ，１０７ｃ，１０７ｄ，・・・は、ＬＥＤ１０６ａ，１０６ｂ，１０６ｃ，１０６ｄ，・・・からの光を受光すると、自己識別信号を監視制御コンピュータ１０８に送信するようになっている。
【００８２】
（４）監視制御コンピュータ
監視制御コンピュータ１０８は、図１８に示されるように、主に、本体１８０、入力装置１８９、およびディスプレイ１９０から構成されている。
本体１８０は、図１８に示されるように、主に、第７中央処理部１８１、メインメモリ１８３、ハードディスク１８４、接続部１８２、ＩＤＥインターフェイス１８５、入力インターフェイス１８６、ディスプレイインターフェイス１８７、第７ＬＡＮインターフェイス１８８、および第７ＬＡＮコネクタ１９６から構成されている。そして、この本体１８０では、第７中央処理部１８１が第１５バス線１９１を介して、メインメモリ１８３が第１６バス線１９２を介して、各種インターフェイス１８５〜１８８が第１８バス線１９３を介して接続部１８２に接続されている。
【００８３】
ここで、第７中央処理部１８１は、例えば、マイクロプロセッサと呼ばれる半導体チップ等であって、主に、第７制御部１８１Ａおよび第７演算部１８１Ｂから構成される（他に１次キャッシュメモリや２次キャッシュメモリ等を含んでいてもよい）。
メインメモリ１８３は、例えば、ＲＡＭ（ランダムアクセスメモリ）等の半導体チップである。接続部１８２は、チップセット等の半導体チップである。
【００８４】
ハードディスク１８４には、図１９に示されるように、オペレーティングシステム１８４ａ、デバイスドライバ１８４ｂ、および位置データ導出アプリケーション１８４ｃや、室内機バインディングアプリケーション１８４ｄといったプログラム、その他データベース１８４ｅ，１８４ｆ，１８４ｇ，１８４ｈ等が格納されている。なお、このハードディスク１８４は、外付けタイプであってもかまわない。オペレーティングシステム１８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部１８２〜１８４、各種インターフェイス１８５〜１８８、各装置１８９，１９０等のハードウェア管理や、ユーザインターフェイスの提供、各種データの管理、アプリケーションの共通部分の処理等を行う。デバイスドライバ１８４ｂは、ハードディスク１８４、接続部１８２、および各装置１８９，１９０それぞれに対して用意されている専用プログラムであって、オペレーティングシステム１８４ａがハードディスク１８４、接続部１８２、および各装置１８９，１９０を制御するための橋渡しを行う。位置データ導出アプリケーション１８４ｃは、第４データベース１８４ｅに予め登録されている室内機１２０ａ，１２０ｂ，１２０ｃ，１２０ｄ，・・・のシリアル番号を用いて室内機１２０ａ，１２０ｂ，１２０ｃ，１２０ｄ，・・・に発光指令信号を送信する。なお、このとき、発光指令信号は、第４データベース１８４ｅにおけるシリアル番号データの登録順に従って所定の時間間隔で発信される。上述したように、受光器１０７ａ，１０７ｂ，１０７ｃ，１０７ｄ，・・・においてＬＥＤ１０６ａ，１０６ｂ，１０６ｃ，１０６ｄ，・・・からの受光が確認されると、受光器１０７ａ，１０７ｂ，１０７ｃ，１０７ｄ，・・・は自己識別信号を監視制御コンピュータ１０８に送信してくる。すると、この位置データ導出アプリケーション１８４ｃは、受光器１０７ａ，１０７ｂ，１０７ｃ，１０７ｄ，・・・から送信されてくる自己識別信号をデコードして自己識別情報を生成し、その自己識別情報を第５データベース１８４ｆに照合して受光器１０７ａ，１０７ｂ，１０７ｃ，１０７ｄ，・・・の設置位置データを導出する。なお、第５データベース１８４ｆには、受光器１０７ａ，１０７ｂ，１０７ｃ，１０７ｄ，・・・の自己識別情報と設置位置データとが対応付けされて保存されている。また、本実施の形態において、受光器１０７ａ，１０７ｂ，１０７ｃ，１０７ｄ，・・・の設置位置データは、室内機１２０ａ，１２０ｂ，１２０ｃ，１２０ｄ，・・・の設置位置とされる。室内機バインディングアプリケーション１８４ｄは、位置データ導出アプリケーション１８４ｃにより導出された設置位置データと、受光器１０７ａ，１０７ｂ，１０７ｃ，・・・から送信されるフロアーデータとを室内機１２０ａ，１２０ｂ，１２０ｃ，１２０ｄ，・・・のシリアル番号データに対応付けて第４データベース１８４ｅに格納するためのプログラムである。
【００８５】
ＩＤＥ（Integrated Drive Electronics）インターフェイス１８５は、ハードディスク１８４を接続部１８２に接続する。入力インターフェイス１８６は、例えば、ＰＳ／２、ＵＳＢ、ＩＥＥＥ１２８４、ＲＳ２３２、あるいはＩｒＤＡ（Infrared Data Association）等のインターフェイスであって、メインメモリ１８３にデータを入力するためのキーボード、マウス、スキャナ、あるいはＯＣＲ（Optical Character Reader）等といった入力装置１８９を接続する。ディスプレイインターフェイス１９０は、例えば、ＡＧＰ（Accelerated Graphics Port）、ＰＣＩ（Peripheral Component Interconnect）、あるいはＲＳ２３２等のインターフェイスであって、メインメモリ１８３から送信されてきたデータを文字や画像として表示するためのＣＲＴディスプレイ、液晶ディスプレイ、あるいはプラズマディスプレイ等といったディスプレイ１９０を接続する。第４ＬＡＮインターフェイス１８８は、第１５通信線１９５を介して第７ＬＡＮコネクタ１９６に接続されており、空調コントローラ１０３や受光器１０７ａ，１０７ｂ，１０７ｃ，・・・から送信されるデータ等を受信すると同時にそれらのデータを第７中央処理部１８１が処理可能な形式に変換したり、空調コントローラ１０３や受光器１０７ａ，１０７ｂ，１０７ｃ，・・・に出力されるデータおよび制御信号などを、空調コントローラ１０３や受光器１０７ａ，１０７ｂ，１０７ｃ，・・・が処理可能な形式に変換したりする。
【００８６】
第７ＬＡＮコネクタ１９６には、図１８に示されるように、イーサネットケーブル１９９およびルータ（図示せず）を介して空調コントローラ１０３および受光器１０７ａ，１０７ｂ，１０７ｃ，・・・が接続される。
次に、図２０を用いて監視制御コンピュータ１０８の動作について説明する。
第７制御部１８１Ａは、図２０に示されるように、メインメモリ１８３に一時記憶されるプログラムを読み込み（Ｆｄ６参照）、読み込んだプログラムに従って各部１８２〜１８４および各装置１８９，１９０に動作を指示する（Ｆｃ１〜Ｆｃ６参照）。第７演算部１８１Ｂは、第７制御部１８１Ａの命令に従ってメインメモリ１８３から必要なデータを取得して（Ｆｄ２参照）演算処理（例えば、算術演算処理や論理演算処理等）を行う。メインメモリ１８３は、プログラムやデータ等をハードディスク１８４から取得して（Ｆｄ４参照）一時記憶したり、入力装置１８９において入力されたデータを一時記憶したり（Ｆｄ１参照）、第７演算部１８１Ｂや第７ＬＡＮインターフェイス１８８等から送信されるデータ等（Ｆｄ３およびＦｄ９参照）を一時記憶したりする。また、このメインメモリ１８３は、第７制御部１８１Ａの命令に応じて一時記憶しているデータ等を各部１８２〜１８４および各装置１８９，１９０に送信する（Ｆｄ２、Ｆｄ５、Ｆｄ７、およびＦｄ８参照）。ハードディスク１８４は、第７制御部１８１Ａの命令に応じてメインメモリ１８３にプログラムやデータ等を供給したり（Ｆｄ４参照）メインメモリ１８３から送信されるデータ等を格納したりする（Ｆｄ５参照）。
【００８７】
〔室内機のシリアル番号データと設置位置データとの対応付け処理〕
図２１には、室内機のシリアル番号データと設置位置データとの対応付け処理の流れを表すフローチャートを示す。なお、この対応付け処理を行うに当たって、サービスエンジニア等は、全ての室内機２０ａ，２０ｂ，２０ｃ，２０ｄ，・・・をメンテナンスモードに設定しておく必要がある。なお、本実施の形態では、全ての室内機２０ａ，２０ｂ，２０ｃ，２０ｄ，・・・は、サービスエンジニア等により監視制御コンピュータ１０８から一括してメンテナンスモードに設定される。
【００８８】
図２１において、ステップＳ４１では、第７演算部１８１Ｂが、第７制御部１８１Ａの指示に従って、第４データベース１８４ｅに最初に登録されている室内機２０ａ，２０ｂ，２０ｃ，２０ｄ，・・・のシリアル番号データを、メインメモリ１８３を介して取得する。
ステップＳ４２では、第７制御部１８１Ａが、ステップＳ４１において第７演算部１８１Ｂが取得したシリアル番号を利用して、空調コントローラ１０３に発光指令信号発信要求信号を送信する。
【００８９】
ステップＳ４３では、第６Ｉ／Ｏ制御部１３３が、第６制御部１３１Ａの指示に従って、室内機２０ａ，２０ｂ，２０ｃ，２０ｄ，・・・に発光指令信号を送信する。
ステップＳ４４では、発光指令信号を受信した室内機２０ａ，２０ｂ，２０ｃ，２０ｄ，・・・のマイクロコンピュータ２４が、ＬＥＤ１０６ａ，１０６ｂ，１０６ｃ，１０６ｄ，・・・を点灯させる。
【００９０】
ステップＳ４５では、ＬＥＤ１０６ａ，１０６ｂ，１０６ｃ，１０６ｄ，・・・から発せられた光を受光した受光器１０７ａ，１０７ｂ，１０７ｃ，１０７ｄ，・・・が、監視制御コンピュータ１０８に自己識別信号を送信する。
ステップＳ４６では、第７演算部１８１Ｂが、第７制御部１８１Ａの指示に従って、受光器１０７ａ，１０７ｂ，１０７ｃ，１０７ｄ，・・・から送信されてくる自己識別信号を、接続部１８２およびメインメモリ１８３を介して取得し、その自己識別信号をデコードして自己識別情報を生成する。
【００９１】
ステップＳ４７では、第７演算部１８１Ｂが、第７制御部１８１Ａの指示に従って、ハードディスク１８４から第５データベース１８４ｆを読み出し、受光器１０７ａ，１０７ｂ，１０７ｃ，１０７ｄ，・・・の自己識別情報を第５データベース１８４ｆに照合して受光器１０７ａ，１０７ｂ，１０７ｃ，１０７ｄ，・・・の設置位置データを導出する。
ステップＳ４８では、第７演算部１８１Ｂが、第７制御部１８１Ａの指示に従って、ステップＳ４７で導出された受光器１０７ａ，１０７ｂ，１０７ｃ，１０７ｄ，・・・の設置位置データと、受光器１０７ａ，１０７ｂ，１０７ｃ，・・・から送信されるフロアーデータとをステップＳ４１で取得されたシリアル番号データに対応付けて第４データベース１８４ｅに格納する。
【００９２】
そして、この後、処理は、ステップＳ４１に戻り、次に登録されている室内機２０ａ，２０ｂ，２０ｃ，２０ｄ，・・・のシリアル番号データについて同様の流れで対応付け処理がなされる。そして、このような処理は、最後に登録されている室内機２０ａ，２０ｂ，２０ｃ，２０ｄ，・・・のシリアル番号データについて完了されるまで実行される。
なお、処理完了後、この第４データベース１８４ｅは、サービスエンジニア等により空調コントローラ３にコピー処理される。
【００９３】
〔空調コントローラによる通信専用アドレスの付与〕
空調コントローラによる通信専用アドレスの付与については第１実施形態と同じであるので、ここでは、説明を省略する。
〔ビル管理システムの特徴〕
第２実施形態に係るビル管理システム１０１では、室内機１２０ａ，１２０ｂ，１２０ｃ，１２０ｄ，・・・が、空調コントローラ１０３から発光指令信号を受信すると、ＬＥＤ１０６ａ，１０６ｂ，１０６ｃ，１０６ｄ，・・・を点灯させる。受光器１０７ａ，１０７ｂ，１０７ｃ，・・・は、ＬＥＤ１０６ａ，１０６ｂ，１０６ｃ，１０６ｄ，・・・からの光を受光すると、自己識別信号を監視制御コンピュータ１０８に送信する。監視制御コンピュータ１０８は、その自己識別信号をデコードして自己識別情報を生成し、その自己識別情報を第５データベース１８４ｆに照合して受光器１０７ａ，１０７ｂ，１０７ｃ，１０７ｄ，・・・の設置位置データを導出し、その受光器１０７ａ，１０７ｂ，１０７ｃ，１０７ｄ，・・・の設置位置データを室内機１２０ａ，１２０ｂ，１２０ｃ，１２０ｄ，・・・の設置位置データとみなす。そして、監視制御コンピュータ１０８は、室内機１２０ａ，１２０ｂ，１２０ｃ，１２０ｄ，・・・設置位置データと、受光器１０７ａ，１０７ｂ，１０７ｃ，・・・から送信されるフロアーデータとを室内機１２０ａ，１２０ｂ，１２０ｃ，１２０ｄ，・・・のシリアル番号データに対応付けて第４データベース１８４ｅに格納する。このため、このビル管理システム１０１では、マルチ式空調システムにおいて、サービスエンジニア等に負担をかけることなく、簡便に、空調コントローラ１０３に室内機１２０ａ，１２０ｂ，１２０ｃ，１２０ｄ，・・・のシリアル番号データと設置位置データとを対応付けることができる。
【００９４】
〔変形例〕
（Ａ）
先の実施の形態に係るビル管理システム１０１では、室内機１２０ａ，１２０ｂ，１２０ｃ，１２０ｄ，・・・の設置位置データを導出するために、ＬＥＤ１０６ａ，１０６ｂ，１０６ｃ，１０６ｄ，・・・と受光器１０７ａ，１０７ｂ，１０７ｃ，１０７ｄ，・・・とが採用されたが、発音器と受音器との組合せや発信器と受信機との組合せなどが採用されてもかまわない。
【００９５】
（Ｂ）
先の実施の形態に係るビル管理システム１０１では、ＬＥＤ１０６ａ，１０６ｂ，１０６ｃ，１０６ｄ，・・・と受光器１０７ａ，１０７ｂ，１０７ｃ，１０７ｄ，・・・とが一対一になるようにビル内に受光器１０７ａ，１０７ｂ，１０７ｃ，１０７ｄ，・・・が配置され、受光器１０７ａ，１０７ｂ，１０７ｃ，１０７ｄ，・・・の設置位置データを室内機１２０ａ，１２０ｂ，１２０ｃ，１２０ｄ，・・・の設置位置データとみなした。しかし、１つのＬＥＤ１０６ａ，１０６ｂ，１０６ｃ，１０６ｄ，・・・に対して３つの受光器１０７ａ，１０７ｂ，１０７ｃ，１０７ｄ，・・・が対応するようにビル内に受光器１０７ａ，１０７ｂ，１０７ｃ，１０７ｄ，・・・を配置し、受光器１０７ａ，１０７ｂ，１０７ｃ，１０７ｄ，・・・において生成される光の強度データから三辺測量法を利用してＬＥＤ１０６ａ，１０６ｂ，１０６ｃ，１０６ｄ，・・・の位置データを導出し、その位置データを室内機１２０ａ，１２０ｂ，１２０ｃ，１２０ｄ，・・・の設置位置データとみなしてもよい。
【００９６】
（Ｃ）
先の実施の形態に係るビル管理システム１０１では、ＬＥＤ１０６ａ，１０６ｂ，１０６ｃ，１０６ｄ，・・・と受光器１０７ａ，１０７ｂ，１０７ｃ，１０７ｄ，・・・とが一対一になるようにビル内に受光器１０７ａ，１０７ｂ，１０７ｃ，１０７ｄ，・・・が配置され、受光器１０７ａ，１０７ｂ，１０７ｃ，１０７ｄ，・・・の設置位置データを室内機１２０ａ，１２０ｂ，１２０ｃ，１２０ｄ，・・・の設置位置データとみなした。しかし、ビルの居室毎に１台あるいは複数台のカメラを設置し、カメラ機能によりＬＥＤ１０６ａ，１０６ｂ，１０６ｃ，１０６ｄ，・・・の発光を検出すると同時にＬＥＤ１０６ａ，１０６ｂ，１０６ｃ，１０６ｄ，・・・の位置データを導出し、その位置データを室内機１２０ａ，１２０ｂ，１２０ｃ，１２０ｄ，・・・の設置位置データとみなしてもよい。
【００９７】
（Ｄ）
先の実施の形態に係るビル管理システム１０１では、ＬＥＤ１０６ａ，１０６ｂ，１０６ｃ，１０６ｄ，・・・は、単純に発光するのみであった。しかし、ＬＥＤ１０６ａ，１０６ｂ，１０６ｃ，１０６ｄ，・・・を各室内機１２０ａ，１２０ｂ，１２０ｃ，１２０ｄ，・・・のシリアル番号データや、ＭＡＣアドレス、ＩＰアドレスと対応するように固有の発光パターンで発光させるようにしてもよい。なお、この際、この固有の発光パターンは、第５ＥＥＰＲＯＭ１２５に格納されている発光プログラムにより実現されるようにしておくとよい。また、かかる場合、受光器１０７ａ，１０７ｂ，１０７ｃ，１０７ｄ，・・・あるいは監視制御コンピュータ１０８には、その発光パターンのデコード機能を搭載させる必要がある。このようにすれば、予め、監視制御コンピュータ１０８の第４データベース１８４ｅにシリアル番号リストデータを登録しておく必要がなく、サービスエンジニア等の作業の手間を省くことができる。
【００９８】
また、この際、受光器１０７ａ，１０７ｂ，１０７ｃ，１０７ｄ，・・・をカメラに置き換えて、カメラ機能により固有の発光パターンをデコードするようにしてもよい。また、カメラを利用する場合には、居室毎に１台または複数台のカメラを設置し、カメラ機能により固有の発光パターンをデコードすると同時にＬＥＤ１０６ａ，１０６ｂ，１０６ｃ，１０６ｄ，・・・の位置データを導出し、その位置データを室内機１２０ａ，１２０ｂ，１２０ｃ，１２０ｄ，・・・の設置位置データとみなしてもよい。
【産業上の利用可能性】
【００９９】
本発明に係る空調機対応付け支援システムは、複数の空調機が集中管理機器に接続されている空調システムにおいて、空調機の設置位置情報と自己識別情報との対応付けを行うのに有用である。
【図面の簡単な説明】
【０１００】
【図１】本発明の第１実施形態に係るビル管理システムの構成を表すブロック図である。
【図２】本発明の第１実施形態において採用される室内機の一部を表す図である。
【図３】本発明の第１実施形態において採用されるＲＦＩＤタグの内部構造を表すブロック図である。
【図４】本発明の第１実施形態おいて採用される空調コントローラの内部構造を表すブロック図である。
【図５】本発明の第１実施形態おいて採用される空調コントローラにおける制御信号およびデータの流れを表す図である。
【図６】本発明の第１実施形態おいて採用されるＲＦＩＤタグリーダの内部構造を表すブロック図である。
【図７】本発明の第１実施形態おいて採用されるＲＦＩＤタグリーダにおける制御信号およびデータの流れを表す図である。
【図８】本発明の第１実施形態おいて採用される監視制御コンピュータの内部構造を表すブロック図である。
【図９】本発明の第１実施形態おいて採用される監視制御コンピュータのハードディスクに格納される各種プログラムやデータのイメージ図である。
【図１０】本発明の第１実施形態おいて採用される監視制御コンピュータにおける制御信号およびデータの流れを表す図である。
【図１１】本発明の第１実施形態おいて実行される室内機のシリアル番号データと設置位置データとの対応付け処理の流れを表すフローチャートである。
【図１２】本発明の実施の形態に係る空調コントローラによる通信専用アドレスの付与の流れを表すフローチャートである。
【図１３】変形例（Ｂ）に係る空調コントローラによる通信専用アドレスの付与の流れを表すフローチャートである。
【図１４】本発明の第２実施形態に係るビル管理システムの構成を表すブロック図である。
【図１５】本発明の第２実施形態において採用される室内機の一部を表す図である。
【図１６】本発明の第２実施形態おいて採用される空調コントローラの内部構造を表すブロック図である。
【図１７】本発明の第２実施形態おいて採用される空調コントローラにおける制御信号およびデータの流れを表す図である。
【図１８】本発明の第２実施形態おいて採用される監視制御コンピュータの内部構造を表すブロック図である。
【図１９】本発明の第２実施形態おいて採用される監視制御コンピュータのハードディスクに格納される各種プログラムやデータのイメージ図である。
【図２０】本発明の第２実施形態おいて採用される監視制御コンピュータにおける制御信号およびデータの流れを表す図である。
【図２１】本発明の第２実施形態おいて実行される室内機のシリアル番号データと設置位置データとの対応付け処理の流れを表すフローチャートである。
【符号の説明】
【０１０１】
１，１０１      ビル管理システム（空調機対応付け支援システム）
４Ｂ      （情報処理装置）
７ａ，７ｂ，７ｃ，・・・      ＲＦＩＤタグリーダ（無線情報受信手段）
２０ａ，２０ｂ，２０ｃ，２０ｄ，・・・，１２０ａ，１２０ｂ，１２０ｃ，１２０ｄ，・・・      室内機（空調機）
４０      モデム（情報送信手段）
６２      第２通信回路（情報無線発信手段）
６３      不揮発性メモリ（第１記憶手段）
８１Ａ      第４制御部（第１情報対応付け保存手段、第１警告情報出力手段、第２警告情報出力手段）
８１Ｂ      第４演算部（第１設置位置情報導出手段）
８４ｅ      第１データベース（第２記憶手段）
８４ｇ      第３データベース（第３記憶手段）
８９      入力装置（情報入力手段）
１０６ａ，１０６ｂ，１０６ｃ，１０６ｄ，・・・      ＬＥＤ（発音等部）
１０７ａ，１０７ｂ，１０７ｃ，１０７ｄ，・・・      受光器（受音等装置、信号発信手段）
１８１Ａ      第７制御部（対応付け保存手段、発音等部指令送信手段）
１８１Ｂ      第７演算部（受音等装置設置位置情報導出手段）
１８４      ハードディスク（第１情報関連テーブル記憶手段）
１８４ｆ      第５データベース（第１情報関連テーブル）
【図１】
2006349307.tif 000003
【図２】
2006349307.tif 000004
【図３】
2006349307.tif 000005
【図４】
2006349307.tif 000006
【図５】
2006349307.tif 000007
【図６】
2006349307.tif 000008
【図７】
2006349307.tif 000009
【図８】
2006349307.tif 000010
【図９】
2006349307.tif 000011
【図１０】
2006349307.tif 000012
【図１１】
2006349307.tif 000013
【図１２】
2006349307.tif 000014
【図１３】
2006349307.tif 000015
【図１４】
2006349307.tif 000016
【図１５】
2006349307.tif 000017
【図１６】
2006349307.tif 000018
【図１７】
2006349307.tif 000019
【図１８】
2006349307.tif 000020
【図１９】
2006349307.tif 000021
【図２０】
2006349307.tif 000022
【図２１】
2006349307.tif 000023